(57)【要約】【課題】ユーザが、端子を説明する表示を視認しながら自然な体勢で、接続のための作業を容易に行える投写型表示装置を提供する。【解決手段】プロジェクタ１は、キャビネット１０とキャビネット１０上面よりも一段低く、上部が開放された段部２０と、段部２０に配された端子２０３と、段部２０の底面２０２またはキャビネット１０上面の、端子２０３に対応する位置に配され、端子２０３の説明を表示する表示部２０４と、を備える。端子２０３は、段部２０の側面に配置され、当該側面の反対側が、キャビネット１０の背面に連通している。【選択図】図４
2012247576.tif 000002
【特許請求の範囲】
【請求項１】
キャビネットと、
前記キャビネット上面よりも一段低く、上部が開放された段部と、
前記段部に配された端子と、
前記段部の底面または前記キャビネット上面の、端子に対応する位置に配され、端子の説明を表示する表示部と、を備える、
ことを特徴とする投写型表示装置。
【請求項２】
請求項１に記載の投写型表示装置において、
前記端子は、前記段部の側面に配置され、
前記段部の前記側面と反対側が、前記キャビネットの一つの側面に連通している、
ことを特徴とする投写型表示装置。
【請求項３】
請求項２に記載の投写型表示装置において、
前記キャビネットの前記一つの側面が前記キャビネットの背面である、
ことを特徴とする投写型表示装置。
【請求項４】
請求項１に記載の投写型表示装置において、
前記端子が、前記段部の底面に配置されている、
ことを特徴とする投写型表示装置。
【請求項５】
請求項１ないし４の何れか一項に記載の投写型表示装置において、
前記段部の少なくとも上部を覆う蓋部をさらに備える、
ことを特徴とする投写型表示装置。
【請求項６】
請求項１ないし５の何れか一項に記載の投写型表示装置において、
前記表示部は、前記端子に接続される被接続端子を模写した絵を含む、
ことを特徴とする投写型表示装置。
【発明の詳細な説明】
【技術分野】
【０００１】
本発明は、光源からの光を被投写面に投写する投写型表示装置に関する。
【背景技術】
【０００２】
投写型表示装置（以下、「プロジェクタ」という）は、入力した映像信号に基づき、光源からの光を光変調素子で変調し、変調された光（以下、「映像光」という）をスクリーン等の被投写面に投写する。
【０００３】
かかるプロジェクタには、映像信号等を入力するための端子が配されている。かかる端子に、対応する被接続端子が接続されることにより、プロジェクタに、端子を介して映像信号が入力され、これにより、映像光が投写可能となる。
【０００４】
この種のプロジェクタでは、端子の損傷を抑制するために、プロジェクタの側面部の凹みの中に、端子が配置される構成が採られ得る（特許文献１参照）。
【先行技術文献】
【特許文献】
【０００５】
【特許文献１】特開２００３−３４５２６５号公報
【発明の概要】
【発明が解決しようとする課題】
【０００６】
プロジェクタを設置する場面では、たとえば、図１１（ｂ）に示すように、プロジェクタ本体を見降ろした状態で、作業が行われることが多い。この場合、図１１（ａ）のように、端子を収容する凹みと、端子の説明のための表示部が、プロジェクタの側面（図１１（ａ）では背面）に配置されていると、ユーザは、端子と表示部を円滑に視認することができない。
【０００７】
このため、ユーザは、被接続端子を端子に接続する際に、図１１（ｂ）の状態から、目線が凹みと略同じ高さになるによう屈み、端子の説明のための文字や絵図などを見た後に、さらに凹みの中を覗き込み、凹みに配置された端子を確認する必要がある。このように、ユーザは、端子への接続のために随時体勢を変える必要があり、端子への接続を簡便に行うことができない。
【０００８】
本発明は、かかる課題に鑑みてなされたものであり、ユーザが、端子への接続のための作業を容易に行える投写型表示装置を提供することを目的とする。
【課題を解決するための手段】
【０００９】
本発明の投写型表示装置は、キャビネットと、前記キャビネット上面よりも一段低く、上部が開放された段部と、前記段部に配された端子と、前記段部の底面または前記キャビネット上面の、端子に対応する位置に配され、端子の説明を表示する表示部と、を備える。
【００１０】
本発明の投写型表示装置によれば、端子と、端子に対応する位置において表示される表示部とが、プロジェクタの上方から視認可能である。このため、ユーザは、表示部と端子を同時に視認しながら、端子に対応する被接続端子を、自然な体勢で容易に端子に接続できる。
【００１１】
本発明の投写型表示装置において、前記端子は、前記段部の側面に配置され、前記段部の前記側面と反対側が、前記キャビネットの一つの側面に連通する構成とされ得る。このような構成とすれば、接続後の状態において、被接続端子が段部内に収まり易くなり、また、被接続端子のケーブルを段部から引き出しやすくなる。
【００１２】
本発明の投写型表示装置において、前記キャビネットの前記一つの側面は、たとえば、前記キャビネットの背面である。この構成によれば、被接続端子のケーブルが、プロジェクタの背部側から後方に引き出されるため、ケーブルが邪魔になりにくい。
【００１３】
本発明の投写型表示装置において、前記端子は、前記段部の底面に配置され得る。このような構成によっても、ユーザは、表示部と端子を同時に視認しながら、端子に対応する被接続端子を、自然な体勢で容易に端子に接続できる。また、端子が前記段部の底面から上を向くため、端子に対する被接続端子の接続をさらに容易に行うことができる。
【００１４】
本発明の投写型表示装置は、前記段部の少なくとも上部を覆う蓋部をさらに備え得る。このような構成とすれば、蓋部を開けることにより、上記と同様に被接続端子の対応する端子への接続の作業が容易になし得る。さらに、蓋部を閉じた状態での、プロジェクタの使用または安置が可能であるため、常時段部の上方が開放した状態に比較して、端子に対する埃などの付着を抑制できる。また、物の落下などによる、端子の損傷の機会を低減できる。
【００１５】
本発明の投写型表示装置において、前記表示部は、前記端子に接続される被接続端子を模写した絵を含み得る。このような構成とすれば、ユーザは、端子に接続される被接続端子を模写した絵の視認により、端子と被接続端子の組合せを容易に識別できる。よって、被接続端子を端子に容易かつ適正に接続することができる。
【発明の効果】
【００１６】
以上のとおり、本発明によれば、ユーザが、端子への接続のための作業を容易に行える投写型表示装置を提供することができる。
【００１７】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１８】
【図１】実施の形態に係る、プロジェクタの構成を示す図である。
【図２】実施の形態に係る、光学エンジンの構成を示す図である。
【図３】実施の形態に係る、プロジェクタの回路系の構成を示す図である。
【図４】実施の形態に係る、プロジェクタの段部の構成を示す図である。
【図５】変更例１に係る、プロジェクタの段部の構成を示す図である。
【図６】変更例２に係る、プロジェクタの蓋部の構成を示す図である。
【図７】その他の構成例に係る、プロジェクタの段部の構成例を示す図である。
【図８】その他の構成例に係る、プロジェクタの蓋部の構成例を示す図である。
【図９】その他の構成例に係る、プロジェクタの端子の説明の表示例を示す図である。
【図１０】その他の構成例に係る、プロジェクタの端子の説明の表示例を示す図である。
【図１１】従来技術に係る、プロジェクタについて説明するための図である。
【発明を実施するための形態】
【００１９】
以下、図面を参照して、実施の形態に係るプロジェクタについて説明する。
【００２０】
＜実施形態＞
本実施形態に係るプロジェクタについて以下に説明する。
【００２１】
図１（ａ）、（ｂ）は、プロジェクタ１の構成を示す図である。図１（ａ）、（ｂ）は、それぞれ、プロジェクタ１を斜め前方および斜め後方から見た斜視図である。
【００２２】
プロジェクタ１は、筺体となる、横長の略直方体形状のキャビネット１０を備えている。キャビネット１０の上面の左側奥には、上方が開放された段部２０が設けられている。キャビネット１０の内部には、光学エンジン３０および投写レンズユニット４０が配されている。
【００２３】
キャビネット１０には、前面左側に投写窓１０１が形成されており、前面右側および右側面にキャビネット１０内部から排気を行うための排気口１０２、１０３がそれぞれ形成されている。また、キャビネット１０の上面には、操作部１０４が設けられている。操作部１０４には、複数の操作キーが配されている。
【００２４】
さらに、キャビネット１０の前面の左右の両端部にはオーディオ出力窓１０５が設けられている。左右のオーディオ出力窓１０５の背後には、それぞれスピーカ１０５（図示せず）が配されている。スピーカ１０５は、キャビネット１０に内蔵されているオーディオ出力回路（後述）から入力する音信号に基づき、オーディオ出力窓１０５を介して、キャビネット１０の外部へ音を出力する。  段部２０は、プロジェクタ１の後方を向く側面２０１と、キャビネット１０の上面よりも一段低い段差を形成する底面２０２とを有する。底面２０２における、端子２０３が配置される側面２０１と反対側が、キャビネット１０の背面に連通している。このため、段部２０の上方に加え、段部２０の後方も開放している。
【００２５】
側面２０１には、映像信号やオーディオ信号等（以下、「映像信号等」と言う。）を入力する５つの端子２０３が配置されている。底面２０２上には、各端子２０３の説明が表示されている（図４（ｄ）参照）。段部２０における端子２０３とその説明の表示については、追って図を用いて詳述する。
【００２６】
光学エンジン３０は、変調された映像光を生成する。光学エンジン３０には、投写レンズユニット４０が接続されており、投写レンズユニット４０の前端部が、投写窓１０１から前方に露出している。投写レンズユニット４０は、光学エンジン３０で生成された映像光を、プロジェクタ１の前方に配されたスクリーンに拡大投写する。
【００２７】
図２は、光学エンジン３０の構成を示す図である。
【００２８】
光源ランプ３０１は、白色光を発する発光体と、発光体から発せられた光を反射するリフレクターとを備えている。発光体には、たとえば、水銀ランプ、超高圧水銀ランプ、あるいはメタルハライドランプが用いられる。
【００２９】
光源ランプ３０１から出射された白色光は、フライアイインテグレータ３０２、ＰＢＳアレイ３０３、コンデンサレンズ３０４を通過する。フライアイインテグレータ３０２は一対のレンズ３０２ａ、３０２ｂからなり、各レンズ３０２ａ、３０２ｂは蠅の目状に配列された多数の小レンズから構成されている。フライアイインテグレータ３０２に入射した光は、これら小レンズによって分割される。分割された各光は、コンデンサレンズ３０４により液晶パネル（後述する）に重畳される。これにより、液晶パネルに照射される光
の光量分布が均一化される。また、フライアイインテグレータ３０２により分割された各光は、ＰＢＳアレイ３０３によって偏光方向が一方向に揃えられる。
【００３０】
コンデンサレンズ３０４を通過した光は、ダイクロイックミラー３０５に入射する。ダイクロイックミラー３０５は、入射した光のうち、赤色波長帯の光（以下、「Ｒ光」という）と緑色波長帯（以下、「Ｇ光」という）を透過し、青色波長帯（以下、「Ｂ光」という）を反射する。
【００３１】
ダイクロイックミラー３０５を透過したＲ光およびＧ光は、ダイクロイックミラー３０６に入射する。ダイクロイックミラー３０６は、Ｒ光を透過しＧ光を反射する。
【００３２】
ダイクロイックミラー３０６を透過したＲ光は、リレーレンズ３０７および反射ミラー３０８、３０９によってコンデンサレンズ３１０に導かれ、コンデンサレンズ３１０を通過して液晶パネル３１１に照射される。液晶パネル３１１は、赤色用の映像信号に応じて駆動され、その駆動状態に応じてＲ光を変調する。なお、液晶パネル３１１の入射側には、図示しない入射側偏光板が配されており、入射側偏光板を介して液晶パネル３１１にＲ光が照射される。また、液晶パネル３１１の出射側には図示しない出射側偏光板が配されており、液晶パネル３１１から出射されたＲ光が出射側偏光板に入射する。
【００３３】
ダイクロイックミラー３０６で反射されたＧ光は、コンデンサレンズ３１２を通過して液晶パネル３１３に照射される。液晶パネル３１３は、緑色用の映像信号に応じて駆動され、その駆動状態に応じてＧ光を変調する。なお、液晶パネル３１３の入射側には、図示しない入射側偏光板が配されており、入射側偏光板を介して液晶パネル３１３にＧ光が照射される。また、液晶パネル３１３の出射側には図示しない出射側偏光板が配されており、液晶パネル３１３から出射されたＧ光が出射側偏光板に入射する。
【００３４】
ダイクロイックミラー３０５で反射されたＢ光は、反射ミラー３１４によってコンデンサレンズ３１５に導かれ、コンデンサレンズ３１５を通過して液晶パネル３１６に照射される。液晶パネル３１６は、青色用の映像信号に応じて駆動され、その駆動状態に応じてＢ光を変調する。なお、液晶パネル３１６の入射側には、図示しない入射側偏光板が配されており、入射側偏光板を介して液晶パネル３１６にＢ光が照射される。また、液晶パネル３１６の出射側には図示しない出射側偏光板が配されており、液晶パネル３１６から出射されたＢ光が出射側偏光板に入射する。
【００３５】
液晶パネル３１１、３１３、３１６によって変調され、出射側偏光板から出射されたＲ光、Ｇ光、Ｂ光は、ダイクロイックプリズム３１７に入射する。ダイクロイックプリズム３１７は、Ｒ光、Ｇ光およびＢ光のうち、Ｒ光とＢ光を反射するとともにＧ光を透過し、これにより、Ｒ光、Ｇ光およびＢ光を色合成する。こうして、色合成された映像光が、ダイクロイックプリズム３１７から投写レンズユニット４０に向けて出射される。
【００３６】
なお、光学エンジン３０を構成する光変調素子としては、上記透過型の液晶パネル３１１、３１３、３１６の他、反射型の液晶パネルや、ＭＥＭＳデバイスを用いることもできる。また、光学エンジン３０は、上記のように３つの光変調素子を備えた３板式の光学系ではなく、たとえば、１つの光変調素子とカラーホイールを用いた単板式の光学系により構成することもできる。
【００３７】
図３は、プロジェクタ１の回路系の構成を示す図である。
【００３８】
液晶パネル３１１、３１３、３１６、光源ランプ３０１等を制御するため、プロジェクタ１は、制御回路部５０を備える。制御回路部５０は、ＣＰＵ５０１、メモリ５０２、キ
ー入力回路５０３、入力切替回路５０４、Ａ／Ｄコンバータ５０５、信号処理回路５０６、パネル駆動回路５０７、ランプ駆動回路５０８を含む。
【００３９】
キー入力回路５０３は、操作部１０４のキー操作に応じた入力信号をＣＰＵ５０１へ出力する。
【００４０】
入力切替回路５０４は、複数の端子２０３の中から接続する端子２０３を切り替え、接続した端子２０３を介して入力した映像信号等に応じて、アナログまたはデジタルの映像信号を信号処理回路５０６へ出力するとともに、アナログのオーディオ信号をオーディオ信号出力回路５０９へ出力する。なお、入力された映像信号がアナログである場合には、Ａ／Ｄコンバータ５０５によってデジタルの映像信号に変換される。Ａ／Ｄコンバータ５０５から出力された映像信号は、信号処理回路５０６に入力される。
【００４１】
信号処理回路５０６は、入力された映像信号に対して、スケーリング補正(画素数の補
正)、ホワイトバランス補正、ガンマ補正等の各種補正を行う。また、信号処理回路５０
６は、映像信号がＲＧＢ信号以外の信号である場合、かかる信号をＲＧＢ信号に変換する。
【００４２】
信号処理回路５０６から出力されたＲＧＢ信号は、パネル駆動回路５０７に入力される。パネル駆動回路５０７は、入力されたＲＧＢ信号に従って液晶パネル３１１、３１３、３１６を駆動する。
【００４３】
オーディオ出力回路５０９は、スピーカ１０５から音を出力するために、入力したオーディオ信号に所定の変換、増幅等の処理を施し、スピーカ１０５へ出力する。
【００４４】
ランプ駆動回路５０８は、ＣＰＵ５０１からの制御信号に従って光源ランプ３０１を駆動する。
【００４５】
メモリ５０２は、ＲＡＭ、ＲＯＭを含む。メモリ５０２には、ＣＰＵ５０１に制御機能を付与するための制御プログラムが記憶されている。
【００４６】
ＣＰＵ５０１は、メモリ５０２に記憶された制御プログラムに従って、信号処理回路５０６およびパネル駆動回路５０７を制御する。また、ＣＰＵ５０１は、制御プログラムに従って、ランプ駆動回路５０８に制御信号を出力することにより、光源ランプ３０１を制御する。
【００４７】
さて、上述の通り、プロジェクタ１を設置する際には、ユーザが、端子を説明する表示を視認しながら、自然な体勢で、接続のための作業を容易に行えることが好ましい。そこで、本実施の形態では、上方が開放された段部２０がプロジェクタ１に設けられ、さらに、端子２０３と端子２０３の説明の表示とが、プロジェクタ１の上方から同時に視認可能に配されている。
【００４８】
図４（ａ）〜（ｄ）は、段部２０における端子２０３と底面２０２における説明の表示について説明する図である。図４（ａ）は、プロジェクタ１を上面から見た図である。図４（ｂ）は、プロジェクタ１を背面から見た図である。図４（ｃ）は、図４（ａ）のＡ‐Ａ´断面図である。図４（ｄ）は、図４（ａ）の段部２０を拡大した図である。
【００４９】
段部２０の側面２０１において、５つの端子２０３が、図４（ａ）〜（ｃ）に示す如く、横に一列に整列して配置されている。端子２０３の先端部は、側面２０１よりも後方に突出している。
【００５０】
プロジェクタ１の背面から見て右側の２つの端子２０３は、ステレオオーディオ信号（右（Ｒ）、左（Ｌ））を入力するための端子である。残りの３つの端子２０３は、それぞれ異なる形式の映像信号を入力するための端子（ＤＶＩ‐Ｄ端子、Ｄ‐ｓｕｂ（１５ピン）端子およびコンポジット端子（Ｖ））である。
【００５１】
段部２０の底面２０２には、図示の如く、各端子２０３の説明を絵と文字により表示する表示部２０４が、各端子２０３に対応する位置、すなわち各端子２０３の背面側の位置に、印刷されている。
【００５２】
たとえば、一番右側に配置された端子２０３は、右のオーディオ信号を入力する端子であり、この端子２０３に対応する位置には、図４（ｄ）に示す如く、右のオーディオ信号用の端子であることを説明する表示部２０４が表示される。この表示部２０４は、「Ｒ」なる文字と、この端子２０３に接続できる被接続端子の代表的な形状を模写した絵とからなる。同様に、左のオーディオの端子、ＤＶＩ‐Ｄ端子、Ｄ‐ｓｕｂ端子およびコンポジット端子（Ｖ）の各端子２０３に対応する位置には、図４（ｄ）に示す如く、それぞれ、右から順に、「Ｒ」、「Ｖ」、「Ｄ−ｓｕｂ」、「ＤＶＩ−Ｄ」なる文字列と、端子２０３に接続できる被接続端子の代表的な形状を模写した絵とからなる表示部２０４が表示される。
【００５３】
なお、上記の文字および絵は、ユーザが、キャビネット１０の上方から視認可能なものであればよい。塗装、プレス処理、めっき処理、刻印、切り文字の装着、シールの張り付け等、各種の方法によって、文字や絵が段部２０の底面２０２に表示され得る。
【００５４】
なお、図４（ｄ）に示されるように、プロジェクタ１の後方を向く端子２０３と、プロジェクタ１の前方を向く表示（文字および絵）とが、プロジェクタ１の上方から見て前後方向にならぶように配されている。これによって、ユーザは、端子２０３と表示部２０４との対応関係を、より明確に認識できる。
【００５５】
以上、本実施の形態によれば、端子２０３と、端子２０３に対応する位置において表示される表示部２０４とが、プロジェクタ１の上方から視認可能である。このため、ユーザは、端子２０３と表示部２０４を同時に視認しながら、端子２０３に対応する被接続端子を、自然な体勢（図１１（ｂ）参照）で容易に端子２０３に接続できる。
【００５６】
しかも、段部２０の上部に加え、さらに段部２０の後部（底面２０２における端子２０３が配置された側の反対側）も、開放している。このため、被接続端子のケーブルを段部２０から引き出しやすく、ユーザによる接続の作業がより容易に行われ得る。
【００５７】
また、段部２０の底面２０２が、プロジェクタ１の背面に連通している。このため、接続後の状態において、被接続端子が段部２０内に収まり易くなり、また、被接続端子のケーブルを段部２０からさらに引き出しやすくなる。
【００５８】
さらに、被接続端子のケーブルが、プロジェクタ１の背部側から後方に引き出されるため、ケーブルが邪魔になりにくい。
【００５９】
さらに、表示部２０４は、端子２０３に接続される被接続端子を模写した絵を含む。したがって、ユーザは、端子２０３に接続される被接続端子を模写した絵の視認により、端子２０３と被接続端子の組合せを容易に識別できる。よって、被接続端子を端子２０３に容易かつ適正に接続することができる。
【００６０】
以上のとおり、本実施の形態について説明したが、本発明は上記実施の形態に何ら制限されるものではなく、また、本発明の実施形態も、上記実施の形態以外に、種々の変更が可能である。
【００６１】
＜変更例１＞
上記実施例では、端子２０３は、プロジェクタ１の後方を向く方向に配置された。これに対し、変更例１では、端子２０３が上方を向くよう配置される。
【００６２】
図５（ａ）、（ｂ）は、本変更例に係る、底面２０２において上向きに配置される端子２０３を説明する図である。図５（ｂ）は、図５（ａ）のＢ‐Ｂ´断面図である。
【００６３】
本変更例では、各端子２０３が、底面２０２の前方側において横（左右方向）に一列に整列される（図５（ａ））。そして、各端子２０３は、上方を向くよう配置される（図５（ｂ））。
【００６４】
底面２０２における表示部２０４の表示内容は、上記実施例と同じである。
【００６５】
本変更例の構成によれば、端子２０３が段部２０の底面２０２において上方を向くように配置されている。このような構成によっても、ユーザは、表示部２０４と端子２０３を同時に視認しながら、端子２０３に対応する被接続端子を、自然な体勢で容易に端子２０３に接続できる。また、端子２０３が段部２０の底面２０２から上を向くため、端子２０３に対する被接続端子の接続をさらに容易に行うことができる。
【００６６】
＜変更例２＞
上記実施例および変更例１では、段部２０は、常時上方が開放される構成がとられている。これに対し、変更例２では、プロジェクタ１は、上記実施例の構成に加え、段部２０の上方を覆う蓋部をさらに備える。
【００６７】
図６（ａ）〜（ｃ）は、本変更例に係る、蓋部２０５（図示の斜線の領域）の構成を説明する図である。図６（ａ）〜（ｃ）では、閉じられた状態の蓋部２０５が示されている。
【００６８】
蓋部２０５は、閉じられた状態において、上方から見た段部２０と略同様の形状を有し、段部２０の上方を覆う。蝶番２０６が、蓋部２０５の前端側に設けられる。図６（ｃ）に示す如く、蓋部２０５は、蝶番２０６を軸として回転（図６（ｃ）の破線矢印参照）される。即ち、蓋部２０５は、蝶番２０６によって開閉可能に支持される。
【００６９】
蓋部２０５が閉じられた状態において、図６（ｂ）、（ｃ）に示す如く、蓋部２０５の上面とキャビネット１０の上面とが略面一となっている。蓋部２０５が開かれると、段部２０の上方が開放する。
【００７０】
ユーザは、蓋部２０５を、必要に応じて開閉できる。たとえば、ケーブルの接続または接続の解除の際に、蓋部２０５を開き、接続または接続の解除の作業を行える。他方、蓋部２０５が開かれる必要がないときには、蓋部２０５を閉じた状態でのプロジェクタ１の使用または安置が可能である。
【００７１】
以上、本変更例によれば、蓋部２０５を開けることにより、上記と同様に被接続端子の対応する端子２０３への接続の作業が容易になし得る。さらに、蓋部２０５を閉じた状態での、プロジェクタ１の使用または安置が可能であるため、常時段部２０の上方が開放した状態に比較して、端子２０３に対する埃などの付着を抑制できる。また、物の落下など
による、端子２０３の損傷の機会を低減できる。
【００７２】
＜その他＞
本実施例および変更例において説明される端子２０３の構成は、あくまでも例示である。配置される端子２０３の種類は、例示されたものに限られず、映像信号、オーディオ信号、通信信号等を入力または出力する各種の端子から成り得る。また、配置される端子２０３の数は、５個に限られるものではなく、５個よりも少なくても多くてもよい。
【００７３】
上記実施例および変更例１、２では、段部２０は、キャビネット１０の上面左側奥に設けられた。しかしながら、段部２０が、別の位置に配されても良い。たとえば、段部２０は、キャビネット１０の上面の、右側の奥や中央、あるいは、キャビネット１０の上面の前面や左右の側面に設けられ得る。図７（ａ）、（ｂ）は、それぞれ、段部２０が、キャビネット１０の上面の左側側面または前面に連通するよう設けられた構成を示す。このように、段部２０は、キャビネット１０の上面よりも一段低く、且つ、上部が開放されるよう設けられれば、いかなる位置に配置されてもよい。
【００７４】
上記実施例および変更例では、段部２０は、底面２０２の１つの側がキャビネット１０の側面に連通するよう、配された。しかしながら、段部２０は、たとえば図７（ｂ）、（ｃ）に示す如く、底面２０２の２つ以上の側がキャビネット１０の側面に連通するよう、配され得る。図７（ｂ）において、底面２０２の２つの側がキャビネット１０の側面に連通する。図７（ｃ）において、底面２０２の３つの側がキャビネット１０の側面に連通する。
【００７５】
上記変更例２では、蓋部２０５が、段部２０の上方を覆うように構成されている。しかしながら、蓋部２０５は、図８（ａ）、（ｂ）に示すように、さらに段部２０の後方も覆うように構成されてもよい。この場合、蓋部２０５は、閉じられた状態においてプロジェクタ１の背面と略面一となる背面側の側面を有する。蓋部２０５の背面は、図８（ｂ）に示す如く、各端子２０３に対応する位置（すなわち各端子２０３が向く位置）において、下方から切欠かれている。外部機器のケーブルを端子２０３に接続した場合において、接続されたケーブルが切欠き内を通されることによって、ケーブルが端子２０３に接続された状態を保ったまま蓋部２０５が閉じられる。
【００７６】
上記実施例および変更例１、２では、表示部２０４は、段部２０の底面２０２に表示された。しかしながら、表示部２０４は、図９（ａ）に示す如く、キャビネット１０の上面に表示されても良い。この場合、キャビネット１０の上面において表示部２０４が、各端子２０３に対応する位置に、すなわち、プロジェクタ１の上方から見て前後方向にならぶ位置に、表示される構成が採られ得る。この構成が採られる場合、底面２０２における表示部２０４の表示のための領域は不要なため、プロジェクタ１の段部２０の底面２０２の広さを、上記実施例および変更例に比較して小さくできる。よって、キャビネット１０内のスペースを大きくできる。
【００７７】
また、図９（ｂ）に示す如く、段部２０の底面２０２と、キャビネット１０の上面との両面において、表示部２０４が表示されても良い。図９（ｂ）の場合、表示部２０４の文字部分がキャビネット１０の上面に表示され、表示部２０４の絵部分が段部２０の底面２０２に表示される。図９（ｂ）の例とは異なり、表示部２０４の絵部分がキャビネット１０の上面に表示され、表示部２０４の文字部分が段部２０の底面２０２に表示されても良い。
【００７８】
なお、このようなキャビネット１０の上面における表示部２０４の表示は、たとえば図９（ｃ）に示すように、変更例１構成、即ち、段部２０の底面２０２に端子を上向きに配
する構成にも適用可能である。
【００７９】
また、上記実施例および変更例では、表示部２０４は、端子２０３に対応する位置において、所定文字と所定絵を含む。しかしながら、表示部２０４は、対応する端子を説明するものであれば、この構成に限られる必要はない。たとえば、図１０（ａ）、（ｂ）に示すごとく、所定絵のみ、または所定文字のみからなる表示部２０４が、底面２０２に表示されても良い。また、表示部２０４として表示される説明や絵は、たとえば図１０（ｃ）に示す如く、適宜、回転されていてもよい。
【００８０】
また、各端子２０３に装着できる各被接続端子に予め所定の番号や記号などがされている場合、各端子２０３に対応する位置にも同様の番号や記号が、表示部２０４として表示されてもよい。たとえば、端子２０３のうち３つの映像信号を入力する端子に対応する各被接続端子に「（１）」、「（２）」、「（３）」なる表示がなされ、さらに端子２０３のうち２つのオーディオ入力端子に対応する被接続端子に「Ｒ」、「Ｌ」なる表示がなされている場合、図１０（ｄ）に示す如く、同様の文字や記号の表示がなされてもよい。
【００８１】
また、上記実施例および変更例において説明された、被接続端子を模写した絵は、各端子２０３にできることをユーザが認識できれば、絵、図、記号、ロゴ等、如何様に表示でき得る。たとえば、図１０（ｅ）に示すように、被接続端子を模式的に示す単純化された絵が表示されてもよい。  表示部２０４は、文字、絵、図、記号、ロゴ等を、各種組合せて構成され得る。
【００８２】
なお、図１０（ｅ）おいて底面２０２上に表示される一点鎖線のように、各端子２０３と、これに対応する位置に表示部２０４の対応関係が、補助的な絵図などにより、ユーザに解りやすく明示的に表示されてもよい。
【００８３】
また、各端子２０３および各表示部２０４の色は、全て同じ色とされても良いし、それぞれが異なる色とされても良い。複数の色が用いられる場合、被接続端子の色が、これに対応する端子２０３または表示部２０４の表示に用いられる色と略同じになるよう、構成されてもよい。ユーザは、被接続端子の色と略同様の表示を視認することにより、対応する端子２０３を簡単に識別でき、接続の作業が容易になり得る。
【００８４】
この他、本発明の実施の形態は、特許請求の範囲に示された技術的思想の範囲内において、適宜、種々の変更が可能である。
【符号の説明】
【００８５】
１０  キャビネット
２０  段部
２０３  端子
２０４  表示部
２０５  蓋部
【図１】
2012247576.tif 000003
【図２】
2012247576.tif 000004
【図３】
2012247576.tif 000005
【図４】
2012247576.tif 000006
【図５】
2012247576.tif 000007
【図６】
2012247576.tif 000008
【図７】
2012247576.tif 000009
【図８】
2012247576.tif 000010
【図９】
2012247576.tif 000011
【図１０】
2012247576.tif 000012
【図１１】
2012247576.tif 000013